【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
ペイロード容器と、
推進剤を収容する推進剤タンクと、
前記推進剤タンクと流体接続し、抜け出る排出物を形成するよう前記推進剤の電気加熱に適合された電気加熱器と、
外部の源から前記電気加熱器へ電流の流れを向けるよう構成された１つまたは複数の電気伝導体と、を備える、
ペイロードの高速送達に適合された発射輸送手段。
【請求項２】
前記電気加熱器から抜け出る排出物と流体連通する膨張ノズルをさらに備える、請求項１に記載の発射輸送手段。
【請求項３】
前記電気加熱器が抵抗加熱器である、請求項１または請求項２に記載の発射輸送手段。
【請求項４】
前記抵抗加熱器が、格納容器の内側に少なくとも１つの電気的に加熱される多孔性シリンダを備える、請求項３に記載の発射輸送手段。
【請求項５】
前記電気的に加熱される多孔性シリンダが、ダイヤモンド、タングステン，炭化ハフニウム、およびそれらの組み合わせからなる群から選択されるコーティング材質を任意選択的に有する炭素壁を備える、請求項４に記載の発射輸送手段。
【請求項６】
前記電気的に加熱される多孔性シリンダが、蒸散タングステン含有シリンダである、請求項４に記載の発射輸送手段。
【請求項７】
前記抵抗加熱器が、前記格納容器の内側および前記電気的に加熱される多孔性シリンダの外側にあるチャンバと流体連通する放出ポートを備える、請求項４に記載の発射輸送手段。
【請求項８】
前記電気加熱器がアーク加熱器である、請求項１から請求項７のいずれか１つに記載の発射輸送手段。
【請求項９】
前記アーク加熱器が格納容器内に旋回チャンバを有する、請求項８に記載の発射輸送手段。
【請求項１０】
前記格納容器が蒸散冷却壁を備え、
前記旋回チャンバが旋回安定化電気渦アークを確立するよう構成され、または
前記アーク加熱器が前記旋回チャンバにより離間された同軸の電気端子を備える、
請求項９に記載の発射輸送手段。
【請求項１１】
前記電気伝導体が摺動電気接触部を備える、
請求項１から請求項１０のいずれか１つに記載の発射輸送手段。
【請求項１２】
前記摺動電気接触部が、外側リムにより少なくとも部分的に囲まれた内側の伝導体を備える、請求項１１に記載の発射輸送手段。
【請求項１３】
前記外側リムが蒸散冷却されるよう構成された、請求項１２に記載の発射輸送手段。
【請求項１４】
前記外側リムが多孔性である、請求項１３に記載の発射輸送手段。
【請求項１５】
前記多孔性外側リム内の細孔が、水素、６フッ化硫黄およびそれらの組み合わせからなる群から任意選択的に選択される冷却物質で少なくとも部分的に閉じ込まれた、請求項１４に記載の発射輸送手段。
【請求項１６】
前記摺動電気接触部が、磁気リム、融除シールド、内側の冷却リム、および前記内側の伝導体と前記外側リムの間の融除リムのうちの１つまたは複数をさらに備える、請求項１２に記載の発射輸送手段。
【請求項１７】
前記摺動電気接触部が、プラズマアークから電流を受けるよう構成された、請求項１１に記載の発射輸送手段。
【請求項１８】
前記電気伝導体が、前記摺動電気接触部と前記電気加熱器の間を伸びる整列アームをさらに備える、請求項１１に記載の発射輸送手段。
【請求項１９】
前記電気伝導体が、前記ペイロード容器および前記推進剤タンクのうちの１つまたは両方に取り付けられ、または一体式である細長形の導電性の構成要素を備える、請求項１から請求項１０のいずれか１つに記載の発射輸送手段。
【請求項２０】
前記細長形の導電性の構成要素が、プラズマアークから電流を受けるよう構成された、請求項１９に記載の発射輸送手段。
【請求項２１】
前記推進剤タンクが、前記推進剤タンクの外表面の少なくとも一部に１つまたは複数の摺動接触部の細片を有し、前記摺動接触部の細片は任意選択的に気化可能であるよう構成された、請求項１から請求項２０のいずれか１つに記載の発射輸送手段。
【請求項２２】
前記ペイロード容器が、人間または動物の搭乗者、衛星、輸送手段、物品、および武器のうちの１つまたは複数を有する、請求項１から請求項２１のいずれか１つに記載の発射輸送手段。
【請求項２３】
前記ペイロード容器、前記推進剤タンク、および前記電気加熱器のうちの１つまたは全てが再利用可能である、請求項１から請求項２２のいずれか１つに記載の発射輸送手段。
【請求項２４】
前記推進剤が、水素、ジボラン、アンモニア、メタンおよびそれらの組み合わせからなる群から選択される、請求項１から請求項２３のいずれか１つに記載の発射輸送手段。
【請求項２５】
前記輸送手段が、少なくとも５００秒の比推力（Ｉｓｐ）を提供するよう構成された、請求項１から請求項２４のいずれか１つに記載の発射輸送手段。
【請求項２６】
前記電気加熱器が、前記推進剤を約１，０００Ｋから約１００，０００Ｋの温度に加熱するよう構成された、請求項１から請求項２５のいずれか１つに記載の発射輸送手段。
【請求項２７】
前記抜け出る排出物が、分子水素、原子水素、水素プラズマ、およびそれらの組み合わせからなる群から選択される、請求項１から請求項２６のいずれか１つに記載の発射輸送手段。
【請求項２８】
前記ペイロード容器が熱シールドを有し、任意選択的に前記熱シールドの少なくとも一部が蒸散冷却されるよう構成された、請求項１から請求項２７のいずれか１つに記載の発射輸送手段。
【請求項２９】
前記輸送手段が、１０：１より大きい重量比に対する推力を提供するよう構成された、請求項１から請求項２８のいずれか１つに記載の発射輸送手段。
【請求項３０】
前記推進剤タンクおよび前記電気加熱器と流体連通する推進剤ポンプをさらに備え、
任意選択的に前記推進剤ポンプが発煙筒で駆動されるポンプであるか、または電気的に駆動されるポンプである、
請求項１から請求項２９のいずれか１つに記載の発射輸送手段。
【請求項３１】
１）それを通ってエネルギーを伝達するよう構成された少なくとも１つのチューブを有する発射チューブと、
２）請求項１〜３０のいずれか１項に記載の発射輸送手段と、
３）電気エネルギー源と、を備え、
前記発射チューブが、それを通る前記発射輸送手段を推進するよう構成された、
発射システム。
【請求項３２】
前記発射チューブが、内側の導電性のチューブ、および同軸の絶縁体チューブにより分離された外側の導電性のチューブを備える、請求項３２に記載の発射システム。
【請求項３３】
前記内側の導電性のチューブが、その長さの少なくとも一部に沿って伸びる１つまたは複数のスロット式軌道を有し、任意選択的に前記１つまたは複数のスロット式軌道が前記発射輸送手段の前記電気伝導体を受け入れるよう構成された、請求項３２に記載の発射システム。
【請求項３４】
前記内側の導電性のチューブの半径に対する前記外側の導電性のチューブの半径の比が２である、請求項３２に記載の発射システム。
【請求項３５】
磁石場が約１．２５テスラ未満の強度であるように、前記発射チューブが、約２０万から約２００万アンペアの電流がそれを通ることにより形成されるあらゆる磁界を限定するよう構成された、請求項３１に記載の発射システム。
【請求項３６】
前記発射チューブが周囲の空気を排気された、請求項３１に記載の発射システム。
【請求項３７】
前記発射チューブが絶縁体チューブおよび導電性のチューブに囲まれたチューブ内腔を備え、前記発射チューブが、前記発射チューブ内腔内の誘起されたプラズマアークを通って電流が通過するよう構成された、請求項３１に記載の発射システム。
【請求項３８】
前記導電性のチューブが、前記絶縁体チューブによって前記発射チューブ内腔からその長さに沿って分離されるが、前記発射チューブの末端部直近で前記発射チューブ内腔と電気接続する、請求項３７に記載の発射システム。
【請求項３９】
前記発射チューブの対向する開始端部において後部の導電性の構成要素をさらに備える、請求項３８に記載の発射システム。
【請求項４０】
前記システムが、前記導電性のチューブを通って前方に、および前記発射チューブ内腔および前記発射輸送手段の１つまたは複数の電気伝導体を通って前記後部の導電性の構成要素へ後方に電流が通過するよう構成された、請求項３９に記載の発射システム。
【請求項４１】
前記誘起されたプラズマアークが、前記発射輸送手段の前方および前記発射輸送手段の後方に存在する、請求項３７に記載の発射システム。
【請求項４２】
前記発射チューブが、２つの導電性のチューブおよび２つの絶縁体チューブを備える、請求項３１に記載の発射システム。
【請求項４３】
前記発射チューブが、内側の絶縁体チューブおよび内側の導電性のチューブにより分離された外側の絶縁体チューブに囲まれたチューブ内腔を備え、また前記外側の絶縁体チューブの外側に外側の導電性のチューブも備える、請求項４２に記載の発射システム。
【請求項４４】
前記内側の絶縁体チューブおよび前記内側の導電性のチューブがそれらの長さの少なくとも一部に沿って区画化され、任意選択的に区画のそれぞれが、前記発射内腔から前記内側の導電性のチューブへ電流を通過するよう構成された少なくとも１つのスイッチを有する、請求項４３に記載の発射システム。
【請求項４５】
前記外側の導電性のチューブが、前記発射チューブの末端部直近の前記発射チューブ内腔と電気接続する、請求項４３に記載の発射システム。
【請求項４６】
前記発射チューブが、前記発射チューブ内腔内の誘起されたプラズマアークを通って電流が通過するよう構成された、請求項４３に記載の発射システム。
【請求項４７】
前記システムが、前記外側の導電性のチューブを通って前方に、および前記発射チューブ内腔および前記発射輸送手段の前記１つまたは複数の電気伝導体を通って後方に電流が通過するよう構成された、請求項４６に記載の発射システム。
【請求項４８】
前記システムが、前記発射輸送手段の前記１つまたは複数の電気伝導体から前記内側の絶縁体チューブの長さに沿って位置する前記１つまたは複数のスイッチを通って、前記内側の導電性のチューブ内へ電流が通過するよう構成された、請求項４７に記載の発射システム。
【請求項４９】
前記発射システムが電非磁であるよう構成された、請求項３１に記載の発射システム。
【請求項５０】
前記電気エネルギー源が電池バンクを備え、任意選択的に前記電気エネルギー源がさらにインダクタを備える、請求項３１に記載の発射システム。
【請求項５１】
前記電気エネルギー源が、電流ビームを送達するよう構成された放射構成要素を備える、請求項３１に記載の発射システム。
【請求項５２】
前記電気エネルギー源が、前記発射チューブを通って運動中の前記発射輸送手段を追跡するよう構成された軌道構成要素を備える、請求項５１に記載の発射システム。
【請求項５３】
前記発射チューブがその長さの少なくとも部分に沿って１つまたは複数の通路を有し、前記１つまたは複数の通路がそれを通る電流ビームの伝達を可能にするよう構成された、請求項５１に記載の発射システム。
【請求項５４】
前記電流ビームがレーザビーム、マイクロ波ビーム、またはミリメートル波ビームを有する、請求項５１に記載の発射システム。
【請求項５５】
請求項３１〜５４のいずれか１項に記載の発射システムを提供するステップと、
発射輸送手段の電気加熱器内で推進剤を電気的に加熱し、発射チューブを通って出るペイロードを加速するのに十分な速度で抜け出る排出物を形成するステップと、を含む、
ペイロード発射方法。
【請求項５６】
前記方法が、発射輸送手段の電気加熱器内で前記推進剤を電気的に加熱し、約２から約２，０００Ｇ’ｓの加速力で毎秒少なくとも約２，０００メートル（ｍ／ｓ）の速度に前記発射チューブを通る前記発射輸送手段を加速する一方で、前記チューブ内の磁界を約２テスラ未満に制限する膨張ガスを形成するステップを含む、請求項５５に記載のペイロード発射方法。
【請求項５７】
前記発射チューブの少なくとも１つの導電性のチューブを通る、約０．２アンペアから約５０メガアンペアの電流を提供するステップを含む、請求項５５に記載のペイロード発射方法。
【請求項５８】
前記電流が、第１の導電性のチューブに提供され、前記第１の導電性のチューブから第１の摺動接触部を通って前記発射輸送手段の前記電気加熱器へ通過し、および前記電気加熱器から第２の摺動接触部であるが第２の導電性のチューブへ通過する、
請求項５７に記載のペイロード発射方法。
【請求項５９】
前記電流が、前記第１の導電性のチューブから前記第１の摺動接触部へ通過し、前記第２の摺動接触部からプラズマアークを介して前記第２の導電性のチューブへ通過する、請求項５８に記載のペイロード発射方法。
【請求項６０】
前記電流が、少なくとも１つの導電性のチューブに提供され、前記導電性のチューブを通って前方に前記発射チューブの末端部へ通過する、請求項５７に記載のペイロード発射方法。
【請求項６１】
前記電流が前記少なくとも１つの導電性のチューブから前記発射チューブの開口内腔内へ通過し、前記開口内腔を通って前記電流が前記発射輸送手段の第１の電気伝導体へ通過する、請求項６０に記載のペイロード発射方法。
【請求項６２】
前記電流が、前記発射チューブの前記開口内腔を通ってプラズマアークを介して通過する、請求項６１に記載のペイロード発射方法。
【請求項６３】
前記電流が、前記発射輸送手段の前記第１の電気伝導体から前記電気加熱器へ通過し、前記発射輸送手段の第２の電気伝導体を通って前記発射輸送手段を離れて通過する、請求項６１に記載のペイロード発射方法。
【請求項６４】
前記発射輸送手段から離れて通過する前記電流が、前記発射チューブの前記開口内腔を通って後方へ、後部の導電性の構成要素へ移動する、請求項６４に記載のペイロード発射方法。
【請求項６５】
前記電流が、第１の導電性のチューブへ提供され、前記第１の導電性のチューブを通って前方へ前記発射チューブの末端部へ通過する、請求項５７に記載のペイロード発射方法。
【請求項６６】
前記電流が前記第１の導電性のチューブから前記発射チューブの開口内腔内へ通過し、前記開口内腔を通って前記電流がプラズマアークを介して前記発射輸送手段の第１の電気伝導体へ通過する、請求項６５に記載のペイロード発射方法。
【請求項６７】
前記電流が、前記発射輸送手段の前記第１の電気伝導体から前記電気加熱器へ通過し、前記発射輸送手段の第２の電気伝導体を通って前記発射輸送手段を離れて通過する、請求項６６に記載のペイロード発射方法。
【請求項６８】
前記発射輸送手段から離れる前記電流が、１つまたは複数のスイッチを通って第２の導電性のチューブ内へ通過し、それを通って後方へ通過する、請求項６７に記載のペイロード発射方法。
【請求項６９】
前記電気エネルギー源が電流ビームを送達するよう構成された放射構成要素を有し、前記方法が、前記放射構成要素から前記発射チューブ内の１つまたは複数の通路を通って前記発射輸送手段の前記電気加熱器へ電流ビームを向けるステップを含む、請求項５５に記載のペイロード発射方法。
【請求項７０】
前記電流ビームが前記発射チューブの長さに沿った複数の位置において前記発射輸送手段へ送達されるように、前記発射輸送手段が前記発射チューブを通って加速するにつれて前記電流ビームを前記発射輸送手段の位置に追跡するステップを含む、請求項６９に記載のペイロード発射方法。
【請求項７１】
前記電流ビームがレーザビーム、マイクロ波ビーム、またはミリメートルビームである、請求項６９に記載のペイロード発射方法。
【請求項７２】
エネルギービームが前記ペイロード容器の前方の大気を加熱するように、前記発射チューブを出た後前記ペイロード容器の前方の大気へ前記エネルギービームを向けるステップを含み、任意選択的に前記エネルギービームがレーザビームである、請求項５５に記載のペイロード発射方法。